(57)【要約】【課題】  芯線の露出を抑止し、振動篩装置への張設時に振動篩用網の円弧を緩やかして被篩体の偏在を防止し得る目詰まり防止機能付振動篩用網を得ること。【解決手段】  各薄板帯状固定板５の下側中央部５ｃにおける叩打用網４を除去することにより、下側中央部５ｃに防振ゴム１０の頭部１０ａが嵌合する嵌合凹部５ｄが形成され、これにより防振ゴム１０の嵌合部における振動篩用網２の上下幅を薄く形成し、これにより振動篩装置の張設時の振動篩用網２の上に凸の円弧を緩やかに構成し、かつ合成樹脂製横線２ａの断面形状を芯線３の上側の肉厚より下側の肉厚が大となるように構成し、叩打用網４が合成樹脂製横線２ａを下側から叩打しても芯線３が容易に合成樹脂製横線２ａの被覆から露出しないように構成した。【選択図】  図４
2020121287.tif 000002
【特許請求の範囲】
【請求項１】
芯線のない複数の平行な合成樹脂製縦線と、これらの合成樹脂製縦線に下側に交差するものであって金属製の芯線を埋設された複数の平行な合成樹脂製横線とが、それらの交差部にて熱溶着されて一体とされた振動篩用網が、上記合成樹脂製縦線と平行な両側縁を以って振動篩装置に張設されると共に、上記振動篩用網の下側から支持部材が当接されることで上に凸の円弧状に張設され、上記振動篩装置によって振動されることで被篩体の篩動作が行われる目詰まり防止機能付振動篩用網において、
上記振動篩用網の下側に上記合成樹脂製縦線に平行に一定幅の薄板帯状固定板が所定間隔を以って複数固定されると共に、上記振動篩用網及び上記薄板帯状固定板の下側に上記振動篩用網の升目よりも大きな升目の合成樹脂製の叩打用網が配設され、
上記叩打用網は上記薄板帯状固定板の下側位置においてのみ、当該薄板帯状固定板に固定され、隣接する上記薄板帯状固定板間の範囲においては上記振動篩用網の下側には接続されていないものであり、
上記各薄帯状固定板の下側中央部における上記叩打用網を除去することにより、上記下側中央部に上記支持部材の頭部が嵌合する嵌合凹部が形成され、
上記支持部材の上記頭部が上記嵌合凹部に嵌合した状態において、上記頭部が上記薄板帯状固定板の下面に当接し得るように構成され、
上記振動篩用網は上記振動篩装置への上記張設時に振動されることによって上記叩打用網が上下振動することで上記合成樹脂製横線が上記叩打用網によって叩打されるものであり、
上記合成樹脂製横線の断面形状が、上記芯線の上側より下側が肉厚となるように構成されたものであることを特徴とする目詰まり防止機能付振動篩用網。
【請求項２】
上記叩打用網は、その一方の端縁が一の上記薄板帯状固定板の対応する下側端縁に固定され、その他方の端縁が上記一の薄板帯状固定板に隣接する他の上記薄板状固定板の対応する下側端縁に固定されたものである請求項１記載の目詰まり防止機能付振動篩用網。
【請求項３】
上記合成樹脂製横線の上記断面形状は、上記芯線の上側が半円形状であり、上記芯線の下側が上記半円形状の半径より長い上下方向の一辺を有する方形状である請求項１又は２記載の目詰まり防止機能付振動篩用網。
【請求項４】
請求項１記載の目詰まり防止機能付振動篩用網を使用した振動篩装置であって、
上記目詰まり防止機能付振動篩用網の上記合成樹脂製縦線に平行な両端部が各々振動直立板に横方向の反対方向に張力をかけた状態で張設され、
上記振動直立板間に固定された固定用横杆に固設された複数の上記支持部材の上記各頭部が上記振動篩用網の下側の上記各嵌合凹部に嵌合されることで、上記振動篩用網が上に凸の円弧状となるように上方にも張力をかけた状態で張設され、
上記振動直立板を振動させるための駆動手段が設けられ、
上記駆動手段を駆動することにより、上記振動直立板を振動させて上記叩打用網を上下振動させることにより、当該叩打用網を以って上記振動篩用網の下側を叩打することを可能とした目詰まり防止機能付振動篩用網を使用した振動篩装置。
【発明の詳細な説明】
【技術分野】
【０００１】
本発明は、工業用の振動篩装置に張設する目詰まり防止機能付振動篩用網及びそれを使用した振動篩装置に関するものである。
【背景技術】
【０００２】
従来、この種の振動篩用網は、特許文献１に示すように、振動篩の両側のフレーム間に振動篩用網が張設されており、この振動篩用網の下側に被篩体流れ方向に直交する複数の軸が設けられると共に仕切り網が設けられ、上記複数の軸と仕切り網の間に複数の収納室が形成され、その収納室の内部に複数の球体が収納され、上記フレームが振動することにより、上記収納室内の複数の球体が上記振動篩用網を下側から叩打し、これにより上記振動篩用網の目詰まりを防止する構成であった。
【０００３】
その他、振動篩用網の上面に複数の球体を紐で取り付け、振動篩用網の振動により球体が網表面で振動することにより、網の目詰まりを防止する構成のものが提案されている。
【先行技術文献】
【特許文献】
【０００４】
【特許文献１】特開平８−１５５３９６号公報
【特許文献２】特願２０１７−１９７３４５号
【発明の概要】
【発明が解決しようとする課題】
【０００５】
ところで、振動篩用網の全体は、被篩体の流れ方向の上流側から下流側に向けて振動篩用網自体が若干下り傾斜となるように設置されるが、上記従来の振動篩用網では、この傾斜のため、上記球体が低い側（下流側）に偏在することになり、各収納室内において、或いは、振動篩用網の表面において、叩打位置にむらが生じることになり、十分な目詰まり防止効果が得られないという課題がある。
【０００６】
そこで、本件発明者は、特許文献２に示すように振動篩用網の下側に、振動篩用網より大きな升目の叩打用網を振動篩用網に一体に設け、振動篩用網を振動させることにより、上記叩打用網が振動篩用網の下面を叩打することにより、振動篩用網の目詰まりを防止する振動篩用網を開発した。
【０００７】
この叩打用網は、振動篩用網の目詰まり防止機能は優れているが、振動篩用網を下側から叩打するので、長期間使用すると、振動篩用網の下側の金属製の芯線（例えば直径が０．３５ｍｍ）が埋設された合成樹脂製横線（例えば直径が１．６ｍｍの断面円形線）が長期間下側から叩打されることにより、芯線に対して樹脂製の被覆部が上方に移動し、結果として、金属製の芯線が被覆部の下側に露出することが見受けられた。このように被覆部から芯線が露出すると振動篩用網を取り替える必要があり、振動篩用網の寿命が短いとの課題があった。
【０００８】
また、特許文献２の目詰まり防止機能付振動篩用網は、振動篩用網の下側に薄板帯状固定板を所定間隔で固定し、これら薄板帯状固定板間において、その薄板帯状固定板の下側に上記叩打用網を固定する構成であり、当該振動篩用網を振動篩装置に固定するには、両側の合成樹脂製横線を振動直立板間に固定して互いに反対方向に張設すると共に（固定部の位置は一定）、上記各薄板帯状固定板の下側に各々防振ゴム及び支持棒（支持部材）を当接させ、この支持部材により振動篩用網の中央部を上方に持ち上げることで、上記振動篩用網を、被篩体の流れ方向に直交する方向に、上方に円弧状となるように、上方にも張設した状態で、振動篩装置にセットしていた。
【０００９】
ところで、上記防振ゴムが当接する振動篩用網の部分は、薄板帯状固定板と叩打用網とが接着されており、その部分の上下方向の厚みが大きくなり、当該厚み大の部分に下側から上記防振ゴムが当接することになる。この場合、該振動篩用網の両端の固定部の位置は一定なので、結果として、振動篩用網の上記円弧が大きく上方に突出することになり、被篩体が振動篩用網の両端部に偏在するという課題があった（図６の振動篩用網の二点鎖線参照）。被篩体の搬送の観点からすると、振動篩用網の上記円弧は、できるだけ緩やかな方が好ましい。
【００１０】
本発明は上記従来の課題に鑑みてなされたものであり、振動篩用網の合成樹脂製横線の断面形状を工夫することにより、芯線の露出をなくして振動篩用網の寿命を長くすることができ、かつ、振動篩用網の上に凸の円弧を緩やかにすることを可能とした目詰まり防止機能付振動篩用網及び振動篩装置を提供することを目的とする。
【課題を解決するための手段】
【００１１】
上記の目的を達成するため本発明は、
第１に、芯線のない複数の平行な合成樹脂製縦線と、これらの合成樹脂製縦線に下側に交差するものであって金属製の芯線を埋設された複数の平行な合成樹脂製横線とが、それらの交差部にて熱溶着されて一体とされた振動篩用網が、上記合成樹脂製縦線と平行な両側縁を以って振動篩装置に張設されると共に、上記振動篩用網の下側から支持部材が当接されることで上に凸の円弧状に張設され、上記振動篩装置によって振動されることで被篩体の篩動作が行われる目詰まり防止機能付振動篩用網において、上記振動篩用網の下側に上記合成樹脂製縦線に平行に一定幅の薄板帯状固定板が所定間隔を以って複数固定されると共に、上記振動篩用網及び上記薄板帯状固定板の下側に上記振動篩用網の升目よりも大きな升目の合成樹脂製の叩打用網が配設され、上記叩打用網は上記薄板帯状固定板の下側位置においてのみ、当該薄板帯状固定板に固定され、隣接する上記薄板帯状固定板間の範囲においては上記振動篩用網の下側には接続されていないものであり、上記各薄帯状固定板の下側中央部における上記叩打用網を除去することにより、上記下側中央部に上記支持部材の頭部が嵌合する嵌合凹部が形成され、上記支持部材の上記頭部が上記嵌合凹部に嵌合した状態において、上記頭部が上記薄板帯状固定板の下面に当接し得るように構成され、上記振動篩用網は上記振動篩装置への上記張設時に振動されることによって上記叩打用網が上下振動することで上記合成樹脂製横線が上記叩打用網によって叩打されるものであり、上記合成樹脂製横線の断面形状が、上記芯線の上側より下側が肉厚となるように構成されたものであることを特徴とする目詰まり防止機能付振動篩用網により構成される。
【００１２】
上記支持部材は例えば防振ゴム（１０）及び支持棒（１１）等により構成することができる。上記被篩体は例えば骨材等の原料である。このように構成すると、目詰まり防止機能付振動篩用網を、その合成樹脂製横線の両端側を一対の例えば振動直立板等に固定することで振動篩装置に張設し、上記薄板帯状固定板の下側の嵌合凹部を防振ゴム等の支持部材にて支持した状態で、上記振動直立板等を楕円軌跡等を含む上下方向又は斜め上下方向に振動させると、各薄板帯状固定板間の叩打用網が弾性によりその中央部を最大ストロークとして上下方向に振動し、振動篩用網の下側を叩打するため、上記振動篩用網の目詰まりを防止することができる。また、振動篩用網に叩打用網が一体に形成されているので、目詰まり防止機能付振動篩用網を傾斜状態で設置しても、支障なく、目詰まり防止機能を発揮し得る。さらに、薄板帯状固定板の下側の叩打用網は除去され、当該部分に嵌合凹部が形成され、当該嵌合凹部に支持部材の頭部が嵌合するものであるから、支持部材の当接位置における振動篩用網の上下厚さを薄く構成することができるため、目詰まり防止機能付振動篩用網を振動篩装置に張設した際における、振動篩用網の上に凸の円弧を従来装置に比べて緩やかに構成することができ、被篩体の左右への偏在を極力防止することができる。さらに、振動篩用網の下側の合成樹脂横線は芯線より下側の肉厚が大きくなるように構成されているので、振動篩用網の寿命を長く保つことができる。
【００１３】
第２に、上記叩打用網は、その一方の端縁が一の上記薄板帯状固定板の対応する下側端縁に固定され、その他方の端縁が上記一の薄板帯状固定板に隣接する他の上記薄板状固定板の対応する下側端縁に固定されたものである上記第１記載の目詰まり防止機能付振動篩用網により構成される。
【００１４】
このように構成すると、薄板帯状固定板の下側の中央部には、叩打用網が存在せず、叩打用網が除去された嵌合凹部が形成され、当該支持部材の嵌合部における振動篩用網の上下高さを従来の振動篩用網と比較して薄く構成することができる。これにより、当該嵌合凹部に支持部材（例えば防振ゴム等）を嵌合させることにより、目詰まり防止機能付振動篩用網を振動篩装置に張設したとき、上に凸の円弧を従来に比べて緩やかに構成することができ、これにより被篩部材の左右への偏在を極力抑制することができる。
【００１５】
第３に、上記合成樹脂製横線の上記断面形状は、上記芯線の上側が半円形状であり、上記芯線の下側が上記半円形状の半径より長い上下方向の一辺を有する方形状である上記第１又は２記載の目詰まり防止機能付振動篩用網により構成される。
【００１６】
このように構成すると、叩打用網により上記合成樹脂製横線を下側から叩打しても、その芯線の合成樹脂製横線の被覆部からの露出を効果的に防止することができ、結果として振動篩用網の寿命を長くすることができる。
【００１７】
第４に、上記第１記載の目詰まり防止機能付振動篩用網を使用した振動篩装置であって、上記目詰まり防止機能付振動篩用網の上記合成樹脂製縦線に平行な両端部が各々振動直立板に横方向の反対方向に張力をかけた状態で張設され、上記振動直立板間に固定された固定用横杆に固設された複数の上記支持部材の上記各頭部が上記振動篩用網の下側の上記嵌合凹部に嵌合されることで、上記振動篩用網が上に凸の円弧状となるように上方にも張力をかけた状態で張設され、上記振動直立板を振動させるための駆動手段が設けられ、上記駆動手段を駆動することにより、上記振動直立板を振動させて上記叩打用網を上下振動させることにより、当該叩打用網を以って上記振動篩用網の下側を叩打することを可能とした目詰まり防止機能付振動篩用網を使用した振動篩装置により構成される。
【００１８】
上記駆動手段はモータ（Ｍ）により構成することができる。このように構成すると、振動直立板を楕円軌跡等を含む上下方向又は斜め上下方向に振動させると、各薄板帯状固定板間の叩打用網がその中央部を最大ストロークとして上下方向に振動し、振動篩用網の下側を叩打するため、上記振動篩用網の目詰まりを効果的に防止することができる。
【発明の効果】
【００１９】
本発明は、目詰まり防止機能付振動篩用網を、その合成樹脂製横線の両端側を一対の振動直立板等の固定部材に固定することで振動篩装置に張設し、上記薄板帯状固定板に対応する下側を支持部材にて支持した状態で、上目詰まり防止機能付振動用網を振動させると、各薄板帯状固定板間の叩打用網がその中央部を最大ストロークとして上下方向に振動し、振動篩用網の下側を叩打するため、上記振動篩用網の目詰まりを効果的に防止することができる。
【００２０】
また、振動篩用網と叩打用網が一体であるので、目詰まり防止機能付振動篩用網を振動篩装置に傾斜して設置しても、従来のように球体が偏在することがなく、目詰まり防止機能が低下することはない。
【００２１】
また、薄板帯状固定板の下側に嵌合凹部が形成され、当該嵌合凹部に支持部材の頭部が嵌合するものであるから、支持部材の当接位置における振動篩用網の上下厚さを薄くすることができ、目詰まり防止機能付振動篩用網を振動篩装置に張設した際における、振動篩用網の上に凸の円弧を従来装置に比べて緩やかに構成することができ、被篩体の左右への偏在を極力防止することができる。
【００２２】
また、振動篩用網の下側の合成樹脂製横線は芯線より下側の肉厚が大きくなるように構成されているので、振動篩用網の寿命を長く保つことができる。
【００２３】
また、振動直立板を楕円軌跡等を含む上下方向又は斜め上下方向等に振動させると、各薄板帯状固定板間の叩打用網がその中央部を最大ストロークとして上下方向に振動し、振動篩用網の下側を叩打するため、上記振動篩用網の目詰まりを効果的に防止し得る振動篩装置を実現することができる。
【図面の簡単な説明】
【００２４】
【図１】（ａ）は本発明に係る目詰まり防止機能付振動篩用網の一部切欠き平面図、（ｂ）は同上振動篩用網の側面図であり、防振ゴムの位置を記載したものである。
【図２】同上目詰まり防止機能付振動篩用網の底面図である（振動篩用網は省略）。
【図３】同上目詰まり防止機能付振動篩用網の一部分解斜視図である。
【図４】同上目詰まり防止機能付振動篩用網の叩打状態を示す同網の側面図である。
【図５】同上目詰まり防止機能付振動篩用網の一部拡大斜視図である。
【図６】同上目詰まり防止機能付振動篩用網を振動篩装置に装着した場合の振動篩装置の横断面図である。
【図７】（ａ）は従来の目詰まり防止機能付振動篩用網の合成樹脂製横線の断面図、（ｂ）は同上目詰まり防止機能付振動篩用網の振動篩用網の断面図である。
【図８】同上目詰まり防止機能付振動篩用網を使用した振動篩装置への固定構造を示す断面図である。
【図９】同上目詰まり防止機能付振動篩用網を使用した振動篩装置の側面図である。
【発明を実施するための形態】
【００２５】
以下、本発明に係る目詰まり防止機能付振動篩用網及び振動篩装置を詳細に説明する。
図１（ａ）は目詰まり防止機能付振動篩用網１の平面図、同図（ｂ）は（ａ）の側面図であり、振動篩装置に設けられた防振ゴム１０を固定した支持棒１１を二点鎖線にて記載している。尚、同図において、上下方向（矢印Ａ方向）を「縦方向」、縦方向に直交する方向を「横方向」といい、振動篩装置に設置されたとき縦方向（矢印Ａ方向）に被篩体が移動するものとする。
【００２６】
本発明に係る目詰まり防止機能付振動篩用網１は、上側の方形の小さい升目の振動篩用網２と、下側の方形の大きい升目の叩打用網４と、該叩打用網４を上記振動篩用網２の裏面側に接続するための薄板帯状固定板５から構成されている。従って、以下の説明において網の全体を示すときは「目詰まり防止機能付振動篩用網１」といい、上側の振動篩用網２のみを示すときは「振動篩用網２」といい、下側の叩打用網４のみを示すときは「叩打用網４」という。
【００２７】
ここで、上記振動篩用網２の横方向の線を「合成樹脂製横線２ａ」といい、合成樹脂製横線２ａ内部には金属製の芯線３が埋設されている（図３、図５参照）。上記振動篩用網２の縦方向の線を「合成樹脂製縦線２ｂ」といい、合成樹脂製縦線２ｂには芯線は埋設されていない。また、上記叩打用網４の上記横方向の線を「合成樹脂製横線４ａ」といい、上記叩打用網４の縦方向の線を「合成樹脂製縦線４ｂ」という。尚、合成樹脂製横線４ａ、合成樹脂製縦線４ｂは、何れも金属製の芯線は埋設されていない。
【００２８】
また、上記合成樹脂製横線２ａ，４ａ、上記合成樹脂製縦線２ｂ，４ｂは何れもウレタンにより構成されており、上記薄板帯状固定板５も同じくウレタンにより構成されている。
【００２９】
また、図１において、構造をわかりやすくするために、分解図のように上側の振動篩用網２の面積より下側の叩打用網４の面積を広く描いているが、実際には、１枚の目詰まり防止機能付振動篩用網１としては、振動篩用網２と叩打用網４とは同一の面積であり、上記振動篩用網２と上記叩打用網４の間に、縦方向に平行に、横方向に一定間隔ｔ２を以って（図４参照）、複数の上記薄板帯状固定板５（横幅ｔ１）が配置されている構成である。上記薄板帯状固定板５の縦方向の長さは、目詰まり防止機能付振動篩用網１の縦方向の長さと同一の長さに形成されている。
【００３０】
図１に示すように、上記振動用篩網２は、上側の芯線のない複数の平行な合成樹脂製縦線２ｂと、これらの合成樹脂製縦線２ｂの下側に交差するものであって金属製の芯線３を埋設された下側の複数の平行な合成樹脂横線２ａとを、それらの交差部２’にて熱溶着して縦横一体とした網から構成されている。従って、上記叩打用網４によって下側から直接叩打される網は合成樹脂横線２ａである。
【００３１】
上記振動篩用網２の下側（合成樹脂製横線２ａの下側）には、上記合成樹脂製縦線２ｂに平行に一定幅ｔ１の薄板帯状固定板５が所定間隔（実施形態では間隔ｔ２、図４参照）を以って複数固定されている。より具体的には、この薄板帯状固定板５は、厚さ約２ｍｍ〜３ｍｍのウレタン製の柔軟な板であり、その上面５ａ側が上記振動篩用網２の合成樹脂横線２ａに熱溶着により固定されている。この薄板帯状固定板５は、合成樹脂製縦線２ｂに平行に固定されており、上記振動篩用網２の横方向に上記間隔ｔ２を以って、互いに平行に複数設けられるものである（図４参照）。よって、図１においては、薄板帯状固定板５は２枚しか現れていないが、実際には図６に示すように、上記振動篩用網２の横方向に沿って間隔ｔ２を以って複数設けられるものである。尚、図６の実施形態では、防振ゴム１０の支持柱１１の位置の３か所に上記薄板帯状固定板５が各々設けられている。
【００３２】
上記防振ゴム１０は、防振ゴム１０自体を上記薄板帯状固定板５に沿った縦長略直方体形状（又は縦長板状）に形成すると共に、上記支持棒１１を上記防振ゴム１０の下面側に縦方向に一定間隔で複数本設け、上記薄板帯状固定板５の下面を、当該薄板帯状固定板５に沿って支持するように構成されたものである。上記支持棒１１を複数本設ける代わりに、縦方向に長い板状の支持板１１を設けても良い。尚、この上記防振ゴム１０と上記支持棒１１又は支持板１１を「支持部材」という。
【００３３】
また、上記防振ゴム１０の長さは、薄板状固定板５と同じ長さとしても良いが、薄板状固定板５より短い所定長さの複数の防振ゴム１０を、上記薄板状固定板５の下側において、一定間隔を以って縦方向に支持するように構成しても良い。
【００３４】
尚、この防振ゴム１０の支持棒１１又は支持板１１は、後述の振動篩装置７の左右一対の振動直立板６，６’間に両端８’，８’を以って固定された固定用横杆８上に固定されている（図６参照）。この固定用横杆８は一対の上記振動直立板６，６’における縦方向（被篩体の流れ方向）に直交した状態で、縦方向に複数本設けられており、上記支持棒１１の下端又は上記支持板１１の下端が固定されている。よって、固定用支持杆８と上記防振ゴム１０及び支持棒１１又は支持板１１は上記振動直立板６，６’と共に振動するものである。
【００３５】
上記支持部材としての上記防振ゴム１０の上面１０ａは、上記各薄板状固定板５の裏面５ｂに接触（当接）した状態となっている（図１参照）。これにより、上記振動篩用網２は、上記振動篩装置に張設されたとき、上方にもテンションがかけられ、上に凸の円弧状になるように構成されている（図６参照）。
【００３６】
上記振動篩用網２及び上記薄板帯状固定板５の下側には、上記振動篩用網２の升目よりも大きな升目の目詰まり解消用の叩打用網４が設けられている。
【００３７】
この叩打用網４は、上記振動篩用網２の合成樹脂製横線２ａに平行な合成樹脂製横線４ａと、上記振動篩用網２の合成樹脂製縦線２ｂに平行な合成樹脂製縦線４ｂとから構成され、上記合成樹脂製横線４ａと上記合成樹脂製縦線４ｂとの各交差部４’は全て熱溶着により固定され、これにより叩打用網４が構成されている。この叩打用網４の各線４ａ，４ｂの直径は上記振動篩用網２の縦横線２ａ，２ｂの直径よりも大きく、直径は上記振動篩用網の約２倍〜約２．５倍の太さを有する。また、上記叩打用網４の１個の升目は、上記振動篩用網２の１個の升目の約１６倍の大きさを有するように構成されている。
【００３８】
このような叩打用網４は上記薄板帯状固定板５の下側位置においてのみ、当該薄板帯状固定板５の裏面５ｂに固定されており（図２参照）、隣接する上記薄板帯状固定板５，５間の範囲においては上記振動篩用網２の下側には接続（固定）されていない（図１参照）。より具体的には、上記薄板帯状固定板５の下側に位置する叩打用網４の合成樹脂製縦線４ｂ（４ｂ’，４ｂ”）が上記薄板帯状固定板５の下面５ｂに熱溶着により固定されており、その他の合成樹脂製縦線４ｂは、上記振動篩用網２の下側において、当該振動篩用網２に接続されておらず、フリーの状態となっている。即ち、上記振動篩用網２の合成樹脂製横線２ａと上記叩打用網４の合成樹脂製縦線４ｂとの間には一定の隙間が形成されている。
【００３９】
従って、当該目詰まり防止機能付振動篩用網１を、図４に示すように、振動篩装置７（後述）に張設して、装置を振動させた場合、上記薄板帯状固定板５，５間の叩打用網４は、上下方向（矢印Ｄ方向）に振動し、上方に振動したときに上側の上記振動篩用網２に下側から当接、叩打し、その結果、上記振動篩用網２の目詰まりを解消し得るものである。尚、上記叩打用網４が上方に移動したとき、上記振動篩用網２の下側の合成樹脂製横線２ａに直接当たることになる。
【００４０】
また、上記各薄板帯状固定板５の下側中央部５ｃに対応する上記叩打用網４の部分（縦方向の部分）は除去されており（図２、図４参照）、これにより、上記各下側中央部５ｃに上記各防振ゴム１０の各頭部１０ａが嵌合する嵌合凹部５ｄが各々形成されている（図１、図２参照）。そして、上記各防振ゴム１０の上記頭部１０ａが上記各嵌合凹部５ｄに嵌合した状態において（図１、図４参照）、上記各頭部１０ａが上記各薄板状固定板５の下面５ｂに当接し得るように構成されている。
【００４１】
即ち、上記叩打用網４は、従来は、上記各薄板状固定板５の下側に対応する部分の全てが上記各薄板状固定板５の下面５ｂに熱溶着により接続された状態であった。本発明では、上記各薄板状固定板５の上記各下側中央部５ｃに相当する部分における上記叩打用網４を除去することによって、上記各薄板帯状固定板５の各下側中央部５ｃに、上記防振ゴム１０が嵌合するための、上記各嵌合凹部５ｄを形成したものである。
【００４２】
よって、上記叩打用網４は、その一方の縦方向の端縁４ｃに沿う合成樹脂製縦線４ｂ（図１、図２では合成樹脂製縦線４ｂ’の上面）が一の上記薄板帯状固定板５の対応する縦方向の下側端縁５’に熱溶着により固定され、その他方の縦方向の端縁４ｃ’に沿う合成樹脂製縦線４ｂ（図１、図２では合成樹脂製縦線４ｂ”の上面）が、上記一の薄板帯状固定板５に隣接する他の薄板状固定板５の対応する縦方向の下側端縁５”に熱溶着により固定されている。
【００４３】
尚、図１では、上記叩打用網４の上記薄板帯状固定板５，５に固定された上記合成樹脂製縦線４ｂ’，４ｂ”は、他の合成樹脂製縦線４ｂと比較して、断面が方形であり、断面積も大きく形成しているが、上記合成樹脂製縦線４ｂ’，４ｂ”を他の合成樹脂製縦線４ｂと同一のものとしても良い。上記合成樹脂製縦線４ｂ’，４ｂ”のように断面積を方形とし、他の合成樹脂製縦線４ｂに比べて断面積を大とすることにより、上記嵌合凹部５ｄの深さを大きくすることができ、上記防振ゴム１０による支持が安定する、という利点がある。
【００４４】
上記目詰まり防止機能付振動篩用網１は、図６、図８に示すように、上記合成樹脂製横線２ａの両縁２ａ’，２ａ’が各々反対方向（矢印Ｂ，Ｂ’方向）に伸長された状態で、振動篩装置７の一対の平行な振動直立板６，６’間に張設され、上記叩打用網４における上記薄板帯状固定板５，５に固定された部分の中間部（嵌合凹部５ｄ）に、支持棒１１上の防振ゴム１０が嵌合当接した状態となっている。尚、図６において、８は上記支持棒１１を固定するための固定用横杆である。尚、上述のように上記防振ゴム１０は縦方向に複数個設けても良いし、縦方向に長い１条の防振ゴムでも良い。また、上記支持棒１１も、上記防振ゴム１０に対応して複数本設けても良いし、縦方向に長い板状の部材であっても良い。
【００４５】
また、図７（ｂ）に示すように、本発明の振動篩用網２の上記合成樹脂製横線２ａの断面形状（被覆部の断面形状、本実施形態においては縦断面形状）は、上記芯線３の上側２１の被覆部より下側２２の被覆部の肉厚が大となるように構成されている。尚、図７（ａ）に示すものは、従来の合成樹脂製横線２ａの断面形状（縦断面形状）であり、円形の断面形状の中心に芯線３が設けられている。尚、被覆部とは、合成樹脂製横線２ａにおける芯線３の周りの合成樹脂製（ウレタン製等）の部分をいう。
【００４６】
より具体的には、本発明に係る上記合成樹脂製横線２ａの上記断面形状は、図７（ｂ）に示すように、上記芯線３の上側２１の被覆部が半円形状であり、上記芯線３の下側の被覆部が上記半円形状の半径より長い上下方向の一辺を有する略方形状（又は方形状）に形成されている。
【００４７】
一例をあげると、図７（ａ）の従来の合成樹脂製横線２ａの直径が例えば１．６ｍｍ、芯線の直径が例えば０．３５ｍｍである場合、合成樹脂製横線２ａの被覆部の肉厚は０．６２５ｍｍとなる。本発明に係る合成樹脂製横線２ａの芯線の直径は従来と同じ０．３５ｍｍ、芯線３より上側２１の被覆部の肉厚は従来と同じ０．６２５ｍｍであるが、芯線３の下側２２の被覆部の肉厚は、上記従来の肉厚に比べて大、例えば上下方向の肉厚が１．４２５ｍｍとなるように構成される。よって、合成樹脂製横線２ａの上下方向の幅は約２．４ｍｍとなる。
【００４８】
上記合成樹脂製横線２ａの下側２２の被覆部の断面形状は、縦方向の幅は、従来の上記合成樹脂製横線２ａの直径と同じ例えば１．６ｍｍであるが、下端部は、両角部２３，２３が直角となった略方形状の断面となるように構成されている。
【００４９】
上記叩打用網４は、振動により、振動篩用網２の下側の上記合成樹脂製横線２ａに、下側から当接して、叩打を行うことになるが、上記合成樹脂製横線２ａの芯線３より下側２２の被覆部の肉厚が大となるように構成されているので、上記叩打が繰り返し行われても、上記芯線３は合成樹脂製横線２ａの被覆部から容易に露出することはない。
【００５０】
上記振動篩装置７は、図９に示すように、地面Ｇに設置された固定機枠２１に、支持装置１２，１２によって、上記振動直立板６，６’が振動可能に支持されている。上記地面Ｇ上にはモータ用の固定機枠１３が設置され、該機枠１３上に駆動用のモータＭが固定されている。上記振動直立板６，６’上にはバイブレータ１４が設けられ、上記バイブレータ１４の回転体１４ａと上記モータＭのプーリＰには駆動ベルト１５が掛け渡されている。
【００５１】
上記バイブレータ１４の回転体１４ａのドライブ軸には偏心錘（図示せず）が固定されており、上記モータＭを駆動して上記回転体１４ａを回転することにより、バイブレータ１４が振動し、その結果、上記振動直立板６，６’が振動することで、上記振動直立板６，６’間に張設された上記目詰まり防止機能付振動篩用網１（図７中二点鎖線で示す）を振動させることができる。
【００５２】
振動の方向は、例えば、図９に矢印Ｃにて示すように、鉛直に対して４５度傾斜した中心軸Ｑの周りの楕円軌道に沿った振動であり、この楕円軌道に沿って上記目詰まり防止機能付振動篩用網１が振動することになる。
【００５３】
上記目詰まり防止機能付振動篩用網１の左右両端部は図８に示すように、上記振動直立板６，６’間に固定される。尚、上記目詰まり防止機能付振動篩用網１の左右両側縁の固定構造は左右対称なので、図８により左側の固定構造のみを説明する。同図において、振動直立板６，６’の内側にはＬ型アングル１９が固定され、当該Ｌ型アングル１９の上部にはクラッピングバー１６がその上端部１６ａを支点として、下端部１６ｂを上記アングル１９上に向けて配置され、かつテンションボルト１７が上記クラッピングバー１６の内側から斜め方向に設けられ、当該テンションボルト１７の端部は上記振動直立板６を貫通して該振動直立板６の外側にてナット１８にて固定されている。
【００５４】
かかる構造において、上記目詰まり防止機能付振動篩用網１の左右両側縁（合成樹脂製横線２ａの両端部２ａ’）にはフック２０が固定されており、上記フック２０を上記クラッピングバー１６の下端部１６ｂに係合し、上記テンションボルト１７をねじ込むことにより、上記フック２０を上記下端部１６ｂと上記Ｌ型アングル１９の上面１９ａとの間に挟持することにより、上記一対の振動直立板６，６’の間に上記目詰まり防止機能付振動篩用網１を張設する。そして、上記テンションボルト１７をねじ込むことにより、上記振動篩用網１に、矢印Ｂ，Ｂ’方向のテンションをかけるように構成する。
【００５５】
そして、図６に示すように、上記目詰まり防止機能付振動篩用網１に反対方向（矢印Ｂ，Ｂ’方向）のテンションをかけた状態で、上記振動篩用網２の下側に位置する固定用横杆８に、当該振動篩用網２の下側から、上記薄板帯状固定板５の上記嵌合凹部５ｄの対応位置に、複数の支持棒１１を立設し、各支持棒１１の上部に各々防振ゴム１０を固定し、上記各防振ゴム１０を上記目詰まり防止機能付振動篩用網１の上記薄板帯状固定板５の下側の上記嵌合凹部５ｄ内に上記振動篩用網２の下側から嵌合当接する。そして、中央の支持棒１１を両サイドの支持棒１１より若干長く形成することにより、上記振動篩用網１の中央部を上方に若干持ち上げて当該振動篩用網１の上方向にもテンションを掛け、全体として振動篩用網１の中央が若干持ち上がった緩やかな円弧形（上に凸）となるように張設する（図６参照）。
【００５６】
このとき、上記振動篩用網２の上方に向けての円弧は、上記防振ゴム１０の嵌合凹部５ｄが形成されており、防振ゴム１０の当接部における振動篩用網２の上下方向幅（図４の幅ｔ３）は、薄くなっているので、従来の振動篩用網２の上方に向けての円弧に比べて、円弧が緩やかになるように構成される（図６参照）。これにより、被篩体が振動篩用網２の両側部（振動篩用網２の中央部に比べて高さの低い両側部）への偏在を極力少なくすることが可能となる。
【００５７】
上記振動篩装置７においては（図９参照）、入口７ａから骨材等の原材料（被篩体）が投入され、当該装置７内においては、二点鎖線で示すように目詰まり防止機能付振動篩用網１を設置する。そして上記入口７ａから投入された原材料は上記目詰まり防止機能付振動篩用網１にて篩動作が行われ、当該網１上の原材料（被篩体）は矢印Ｉ方向に進んで出口７ｂから矢印Ｆ方向に排出されるように構成されている。  
【００５８】
本発明の目詰まり防止機能付振動篩用網１は上述のように構成されているので、本発明に係る目詰まり防止機能付振動篩用網１の両端部２ａ’，２ａ’を、図６に示すように振動篩装置７の振動直立板６，６’間に張設する。この場合、図８に示すように、目詰まり防止機能付振動篩用網１の両端のフック２０をクラッピングバー１６に係合し、テンションボルト１７をねじ込むことにより、図６の矢印Ｂ，Ｂ’方向に引っ張って同方向にテンションをかけ、上記振動直立板６，６’間において左右反対方向（左右方向）に張設する。尚、上記目詰まり防止機能付振動篩用網１の両端の固定部を符号２４，２４’で示す（図６参照）。
【００５９】
さらに、上記振動篩用網２の下側の各薄板帯状固定板５の下側の各嵌合凹部５ｄに、各防振ゴム１０の各頭部１０ａを嵌合挿入し、上記各頭部１０ａを上記各薄板帯状固定板５の各下面５ｂに当接状態とする。
【００６０】
このとき、上記固定用横杆８上に固定された中央の防振ゴム１０の高さが、左右の防振ゴム１０，１０の高さより若干高いので、目詰まり防止機能付振動篩用網１は、上述のように、左右反対方向に引っ張られた状態で、その中央部がさらに上方にも引っ張られ（上方にもテンションがかけられ）、全体として、上に凸の円弧状の状態で、上記振動直立板６，６間に張設された状態となる。
【００６１】
このとき、上に凸の円弧は、薄板帯状固定板５の下面側に嵌合凹部５ｄが形成されており、上記防振ゴム１０の頭部１０ａが上記嵌合凹部５ｄに嵌合された状態であり、上記防振ゴム１０の嵌合凹部５ｄにおける目詰まり防止機能付振動篩用網１の上下高さｔ３（図４参照）は、従来に比べて狭く（薄く）なっているので、上記上に凸の円弧が従来に比べて緩やかとなり（固定部２４，２４’の位置は変わらない。図６参照）、従って、被篩体の振動篩用網２の左右方向への偏在を極力防止することができる。
【００６２】
上記張設状態において、上記モータＭを駆動して上記振動直立板６，６’を矢印Ｃ方向の楕円軌道に沿って振動させる。すると、図４に示すように、目詰まり防止機能付振動篩用網１の上側の振動篩用網２が上記楕円軌道に沿って振動すると共に、叩打用網４は、上記防振ゴム１０と防振ゴム１０との間において、中央部を最も大きな振幅（ストローク）を以って上下方向（矢印Ｄ方向）に振動し、上記振動篩用網２の下側の略全体に亘り、叩打を繰り返し行う。このとき、各防振ゴム１０は、上記薄板帯状固定板５の下面の嵌合凹部５ｄ内に嵌合しており、振動篩用網２は左右方向（左右反対方向）及び上方向にテンションがかかった状態となっている。従って、上記各防振ゴム１０は、各頭部１０ａが上記薄板帯状固定板５の嵌合凹部５ｄ及び下面５ｂに強く当接した状態となっているため、上記両振動直立板６，６’が上記矢印Ｃ方向に振動し、上記目詰まり防止機能付振動篩用網１全体が矢印Ｃ方向に振動しても、上記各防振ゴム１０は上記薄板帯状固定板５の嵌合凹部５ｄに嵌合した状態を維持し、従って、振動直立板６，６’と共に、上記目詰まり防止機能付振動篩用網１、各防振ゴム１０、支持棒１１、固定用横杆８が一体となって振動する。
【００６３】
尚、振動の軌道は、上記の楕円軌道に限らず、円軌道、上下方向の直線軌道に沿う振動、斜め上下方向の直線軌道に沿う振動等、各種の振動が考えられる。
【００６４】
この状態で、振動篩装置７の投入口７ａから例えば骨材を投入する。上記振動篩用網２の上側から当該網１に投入された骨材は、振動篩用網２上に落下すると共に、当該振動篩用網２の楕円軌道に沿う振動により、篩動作が行われる。即ち、上記振動篩用網２の升目より小さい骨材は当該振動篩用網２を通過して下方に落下して集積され、上記升目より大きい骨材は上記振動篩用網２の上を矢印Ｉ方向に移動して出口７ｂから矢印Ｆ方向に移動して図示しない搬送用コンベア等により移送される。かかる動作により、上記振動篩用網２にて篩分けすることができる。
【００６５】
ここで、振動篩用網２の下面には、叩打用網４が常時上下方向に振動することにより、当該叩打用網４の上面が上記振動篩用網２の下面の広範囲を常時叩打しているので、上記振動用網２の升目に細かい粒子が付着して升目を塞いだとしても、当該升目は、直後に叩打用網４により下側から叩打されるので、上記升目を塞いだ粒子は上記叩打の振動により、直ちに当該升目から離脱して下方に落下集積する。
【００６６】
上記叩打用網４の升目の大きさは、上記振動篩用網４の升目より大（例えば１６倍の大きさ）なので、上記振動篩用網２の升目から離脱した粒子は、叩打用網４の升目を容易に通過して下方に落下集積することができる。
【００６７】
また、上記叩打用網４は、上記振動篩用網２の下側の合成樹脂製横線２ａに下側から叩打をくり返すことになるが、上記合成樹脂製横線２ａは図３、図５、図７（ｂ）に示すように、芯線３より下側２２の被覆部の肉厚が大となるように構成されているので、上記芯線３が上記被覆部から容易に露出することはなく、長期間に亘り、振動用篩網２の使用を継続することができ、振動篩用網２の寿命、延いては目詰まり防止機能付振動篩用網１の寿命を長くすることができる。
【００６８】
また、合成樹脂製横線２ａの芯線３より下側２２の断面形状が、角部２３，２３が直角となるように構成されているので（図７（ｂ）参照）、叩打用網４が当接することにより、芯線３が図７（ｂ）の位置から下方に移動したとしても、当該芯線３が合成樹脂製横線２ａの被覆部より露出し難い形状となっており、振動用篩網２の寿命を長くすることができる。
【００６９】
本発明は、以上のように、目詰まり防止機能付振動篩用網１を、その合成樹脂製横線２ａの両端側を一対の振動直立板６，６’等の固定部材に固定することで振動篩装置７に張設し、上記薄板帯状固定板５に対応する下側を支持部材（例えば防振ゴム１０、支持棒１１等）にて支持した状態で、上目詰まり防止機能付振動用網１を振動させると、各薄板帯状固定板５間の叩打用網４がその中央部を最大ストロークとして上下方向に振動し、振動篩用網２の下側を叩打するため、上記振動篩用網２の目詰まりを効果的に防止することができる。
【００７０】
また、振動篩用網２と叩打用網４が一体であるので、目詰まり防止機能付振動篩用網１を振動篩装置７に傾斜して設置しても、従来のように球体が偏在することがなく、目詰まり防止機能が低下することはない。
【００７１】
また、薄板帯状固定板５の下側に嵌合凹部５ｄが形成され、当該嵌合凹部５ｄに支持部材（例えば防振ゴム１０等）の頭部１０ａが嵌合するものであるから、支持部材の当接位置における振動篩用網２の上下厚さを薄くすることができ、目詰まり防止機能付振動篩用網１を振動篩装置７に張設した際における、振動篩用網２の上に凸の円弧を従来装置に比べて緩やかに構成することができ、被篩体の左右への偏在を極力防止することができる。
【００７２】
また、振動篩用網２の下側の合成樹脂製横線２ａは芯線３より下側の肉厚２２が大きくなるように構成されているので、振動篩用網２の寿命を長く保つことができる。
【００７３】
また、振動直立板６，６’を楕円軌跡等を含む上下方向又は斜め上下方向に振動させると、各薄板帯状固定板５間の叩打用網４がその中央部を最大ストロークとして上下方向に振動し、振動篩用網２の下側を叩打するため、上記振動篩用網２の目詰まりを効果的に防止し得る振動篩装置を実現することができる。
【産業上の利用可能性】
【００７４】
本発明に係る目詰まり防止機能付振動篩用網は、振動篩用網を振動篩装置に張設した場合の当該網の上に凸の円弧を緩やかにすることができ、かつ、振動篩用網の寿命を長く保つことができるので、広く利用されることが期待される。
【符号の説明】
【００７５】
１        目詰まり防止機能付振動篩用網
２        振動篩用網
２’      交差部
２ａ      合成樹脂製横線
２ｂ      合成樹脂製縦線
３        芯線
４        叩打用網
４ｃ      端縁
４ｃ’    端縁
５        薄板帯状固定板
５’，５”  下側端縁
５ｂ      下面
５ｃ      下側中央部
５ｄ      嵌合凹部
６，６’  振動直立板
８        固定用横杆
１０      防振ゴム
１０ａ    頭部
１１      支持棒
【図１】
2020121287.tif 000003
【図２】
2020121287.tif 000004
【図３】
2020121287.tif 000005
【図４】
2020121287.tif 000006
【図５】
2020121287.tif 000007
【図６】
2020121287.tif 000008
【図７】
2020121287.tif 000009
【図８】
2020121287.tif 000010
【図９】
2020121287.tif 000011
【手続補正書】
【提出日】令和2年4月28日(2020.4.28)
【手続補正１】
【補正対象書類名】特許請求の範囲
【補正対象項目名】請求項１
【補正方法】変更
【補正の内容】
【請求項１】
芯線のない複数の平行な合成樹脂製縦線と、これらの合成樹脂製縦線に下側に交差するものであって金属製の芯線を埋設された複数の平行な合成樹脂製横線とが、それらの交差部にて熱溶着されて一体とされた振動篩用網が、上記合成樹脂製縦線と平行な両側縁を以って振動篩装置に張設されると共に、上記振動篩用網の下側から支持部材が当接されることで上に凸の円弧状に張設され、上記振動篩装置によって振動されることで被篩体の篩動作が行われる目詰まり防止機能付振動篩用網において、
上記振動篩用網の下側に上記合成樹脂製縦線に平行に一定幅の薄板帯状固定板が所定間隔を以って複数固定されると共に、上記振動篩用網及び上記薄板帯状固定板の下側に上記振動篩用網の升目よりも大きな升目の合成樹脂製の叩打用網が配設され、
上記叩打用網は上記薄板帯状固定板の下側位置においてのみ、当該薄板帯状固定板に固定され、隣接する上記薄板帯状固定板間の範囲においては上記振動篩用網の下側には接続されていないものであり、
上記各薄板帯状固定板の下側中央部における上記叩打用網を除去することにより、上記下側中央部に上記支持部材の頭部が嵌合する嵌合凹部が形成され、
上記支持部材の上記頭部が上記嵌合凹部に嵌合した状態において、上記頭部が上記薄板帯状固定板の下面に当接し得るように構成され、
上記振動篩用網は上記振動篩装置への上記張設時に振動されることによって上記叩打用網が上下振動することで上記合成樹脂製横線が上記叩打用網によって叩打されるものであり、
上記合成樹脂製横線の断面形状が、上記芯線の上側より下側が肉厚となるように構成されたものであることを特徴とする目詰まり防止機能付振動篩用網。
【手続補正２】
【補正対象書類名】特許請求の範囲
【補正対象項目名】請求項２
【補正方法】変更
【補正の内容】
【請求項２】
上記叩打用網は、その一方の端縁が一の上記薄板帯状固定板の対応する下側端縁に固定され、その他方の端縁が上記一の薄板帯状固定板に隣接する他の上記薄板帯状固定板の対応する下側端縁に固定されたものである請求項１記載の目詰まり防止機構付振動篩用網。
【手続補正３】
【補正対象書類名】特許請求の範囲
【補正対象項目名】請求項４
【補正方法】変更
【補正の内容】
【請求項４】
請求項１記載の目詰まり防止機能付振動篩用網を使用した振動篩装置であって、
上記目詰まり防止機能付振動篩用網の上記合成樹脂製縦線に平行な両端部を各々振動直立板に横方向の１８０度反対側に向かう方向に張力をかけた状態で張設され、
上記振動直立板間に固定された固定用横杆に固設された複数の上記支持部材の上記各頭部が上記振動篩用網の下側の上記各嵌合凹部に嵌合されることで、上記振動篩用網が上に凸の円弧状となるように上方にも張力をかけた状態で張設され、
上記振動直立板を振動させるための駆動手段が設けられ、
上記駆動手段を駆動することにより、上記振動直立板を振動させて上記叩打用網を上下振動させることにより、当該叩打用網を以って上記振動篩用網の下側を叩打することを可能とした目詰まり防止機能付振動篩用網を使用した振動篩装置。
【手続補正４】
【補正対象書類名】明細書
【補正対象項目名】００１１
【補正方法】変更
【補正の内容】
【００１１】
第１に、芯線のない複数の平行な合成樹脂製縦線と、これらの合成樹脂製縦線に下側に交差するものであって金属製の芯線を埋設された複数の平行な合成樹脂製横線とが、それらの交差部にて熱溶着されて一体とされた振動篩用網が、上記合成樹脂製縦線と平行な両側縁を以って振動篩装置に張設されると共に、上記振動篩用網の下側から支持部材が当接されることで上に凸の円弧状に張設され、上記振動篩装置によって振動されることで被篩体の篩動作が行われる目詰まり防止機能付振動篩用網において、上記振動篩用網の下側に上記合成樹脂製縦線に平行に一定幅の薄板帯状固定板が所定間隔を以って複数固定されると共に、上記振動篩用網及び上記薄板帯状固定板の下側に上記振動篩用網の升目よりも大きな升目の合成樹脂製の叩打用網が配設され、上記叩打用網は上記薄板帯状固定板の下側位置においてのみ、当該薄板帯状固定板に固定され、隣接する上記薄板帯状固定板間の範囲においては上記振動篩用網の下側には接続されていないものであり、上記各薄板帯状固定板の下側中央部における上記叩打用網を除去することにより、上記下側中央部に上記支持部材の頭部が嵌合する嵌合凹部が形成され、上記支持部材の上記頭部が上記嵌合凹部に嵌合した状態において、上記頭部が上記薄板帯状固定板の下面に当接し得るように構成され、上記振動篩用網は上記振動篩装置への上記張設時に振動されることによって上記叩打用網が上下振動することで上記合成樹脂製横線が上記叩打用網によって叩打されるものであり、上記合成樹脂製横線の断面形状が、上記芯線の上側より下側が肉厚となるように構成されたものであることを特徴とする目詰まり防止機能付振動篩用網により構成される。
【手続補正５】
【補正対象書類名】明細書
【補正対象項目名】００１３
【補正方法】変更
【補正の内容】
【００１３】
第２に、上記叩打用網は、その一方の端縁が一の上記薄板帯状固定板の対応する下側端縁に固定され、その他方の端縁が上記一の薄板帯状固定板に隣接する他の上記薄板帯状固定板の対応する下側端縁に固定されたものである上記第１記載の目詰まり防止機構付振動篩用網により構成される。
【手続補正６】
【補正対象書類名】明細書
【補正対象項目名】００１７
【補正方法】変更
【補正の内容】
【００１７】
第４に、上記第１記載の目詰まり防止機能付振動篩用網を使用した振動篩装置であって、上記目詰まり防止機能付振動篩用網の上記合成樹脂製縦線に平行な両端部を各々振動直立板に横方向の１８０度反対側に向かう方向に張力をかけた状態で張設され、上記振動直立板間に固定された固定用横杆に固設された複数の上記支持部材の上記各頭部が上記振動篩用網の下側の上記嵌合凹部に嵌合されることで、上記振動篩用網が上に凸の円弧状となるように上方にも張力をかけた状態で張設され、上記振動直立板を振動させるための駆動手段が設けられ、上記駆動手段を駆動することにより、上記振動直立板を振動させて上記叩打用網を上下振動させることにより、当該叩打用網を以って上記振動篩用網の下側を叩打することを可能とした目詰まり防止機能付振動篩用網を使用した振動篩装置により構成される。
【手続補正７】
【補正対象書類名】明細書
【補正対象項目名】００３５
【補正方法】変更
【補正の内容】
【００３５】
上記支持部材としての上記防振ゴム１０の上面１０ａは、上記各薄板帯状固定板５の裏面５ｂに接触（当接）した状態となっている（図１参照）。これにより、上記振動篩用網２は、上記振動篩装置に張設されたとき、上方にもテンションがかけられ、上に凸の円弧状になるように構成されている（図６参照）。
【手続補正８】
【補正対象書類名】明細書
【補正対象項目名】００４１
【補正方法】変更
【補正の内容】
【００４１】
即ち、上記叩打用網４は、従来は、上記各薄板帯状固定板５の下側に対応する部分の全てが上記各薄板帯状固定板５の下面５ｂに熱溶着により接続された状態であった。本発明では、上記各薄板帯状固定板５の上記各下側中央部５ｃに相当する部分における上記叩打用網４を除去することによって、上記各薄板帯状固定板５の各下側中央部５ｃに、上記防振ゴム１０が嵌合するための、上記各嵌合凹部５ｄを形成したものである。
【手続補正９】
【補正対象書類名】明細書
【補正対象項目名】００４４
【補正方法】変更
【補正の内容】
【００４４】
上記目詰まり防止機構付振動篩用網１は、図６、図８に示すように、上記合成樹脂製横線２ａの両縁２ａ’，２ａ’が各々反対方向（矢印Ｂ，Ｂ’方向、横方向の１８０度反対側に向かう方向）に伸長された状態で、振動篩装置７の一対の平行な振動直立板６，６’間に張設され、上記叩打用網４における上記薄板帯状固定板５，５に固定された部分の下側（嵌合凹部５ｄ）に、支持棒１１上の防振ゴム１０が嵌合当接した状態となっている。尚、図６において、８は上記支持棒１１を固定するための固定用横杆である。尚、上述のように上記防振ゴム１０は縦方向に複数個設けても良いし、縦方向に長い１条の防振ゴムでも良い。また、上記支持棒１１も、上記防振ゴム１０に対応して複数本設けても良いし、縦方向に長い板状の部材であっても良い。
【手続補正１０】
【補正対象書類名】明細書
【補正対象項目名】００５１
【補正方法】変更
【補正の内容】
【００５１】
上記バイブレータ１４の回転体１４ａのドライブ軸には偏心錘（図示せず）が固定されており、上記モータＭを駆動して上記回転体１４ａを回転することにより、バイブレータ１４が振動し、その結果、上記振動直立板６，６’が振動することで、上記振動直立板６，６’間に張設された上記目詰まり防止機能付振動篩用網１（図９中二点鎖線で示す）を振動させることができる。